(57)【要約】【課題】  携帯情報機器において、ユーザが表示に対応して操作を行なう際の利便性を向上させる。【解決手段】  携帯電話機１００では、ディスプレイ１５０は、垂直方向（両矢印Ａ６で示された方向）に上下方向が設定されたメールの文書を表示する状態（縦長表示）と、水平方向（両矢印Ａ７で示された方向）に上下方向を設定されたメール文書を表示する状態（横長表示）をとる。縦長表示の際、上下方向に並ぶ上キー１２１Ａと下キー１２１Ｂは、表示のスクロールという機能に関する役割を持つ。なお、これらのキーは、横長表示の際、ディスプレイ１５０に表示されるメールを切替える機能に関する役割を持つ。また、縦長表示の際、左右方向に並ぶ左キー１２１Ｃと右キー１２１Ｄは、表示されるメールを切替える機能に関する役割を持つ。なお、これらのキーは、横長表示の際、表示のスクロールという機能に関する役割を持つ。【選択図】        図６
2005267446.tif 000002
【特許請求の範囲】
【請求項１】
第１の方向に並んで配置される、第１の操作手段および第２の操作手段と、
前記第１の方向と交わる第２の方向に並んで配置される、第３の操作手段および第４の操作手段と、
前記第１の方向および前記第２の方向に寸法を有する表示領域を含み、情報を表示する表示手段と、
前記表示手段における表示態様を制御する表示制御手段とを備え、
前記表示制御手段は、
前記表示領域に、所定の画像を、当該所定の画像の所定の方向を前記第１の方向に沿わせて表示させる場合、前記第１の操作手段または前記第２の操作手段を操作されると第１の態様で前記表示手段における表示態様を制御し、かつ、前記第３の操作手段または前記第４の操作手段を操作されると前記第１の態様とは異なる第２の態様で前記表示手段における表示態様を制御し、
前記表示領域に、前記所定の画像を、前記所定の方向を前記第２の方向に沿わせて表示させる場合、前記第１の操作手段または前記第２の操作手段を操作されると前記第２の態様で前記表示手段における表示態様を制御し、かつ、前記第３の操作手段または前記第４の操作手段を操作されると前記第１の態様で前記表示手段における表示態様を制御する、携帯情報機器。
【請求項２】
画像を撮影するカメラと、
前記カメラの動作を制御するカメラ制御手段とをさらに備え、
前記表示制御手段は、前記表示手段を、前記カメラの撮影する画像を表示させ、
前記カメラ制御手段は、
前記表示制御手段が、前記表示領域に、前記カメラの撮影する画像の中の或る方向を前記第１の方向に沿わせて表示させる場合、前記第１の操作手段または前記第２の操作手段を操作されると前記カメラについての第１の機能を実行し、かつ、前記第３の操作手段または前記第４の操作手段を操作されると前記カメラについての前記第１の機能とは異なる第２の機能を実行し、
前記表示制御手段が、前記表示領域に、前記カメラの撮影する画像の中の前記或る方向を前記第２の方向に沿わせて表示させる場合、前記第１の操作手段または前記第２の操作手段を操作されると前記カメラについての前記第２の機能を実行し、かつ、前記第３の操作手段または前記第４の操作手段を操作されると前記カメラについての前記第２の機能をする、請求項１に記載の携帯情報機器。
【請求項３】
前記カメラについての前記第１の機能は、前記カメラのズーム倍率を変更する機能であり、
前記カメラについての前記第２の機能は、前記カメラの露光量を切替える機能である、請求項２に記載の携帯情報機器。
【請求項４】
前記表示制御手段による前記第１の態様での制御は、前記第１の操作手段または前記第２の操作手段を操作されることに基づいて、前記表示領域に前記カメラの撮影する画像を、ズーム倍率を変更させて表示させる制御であり、
前記表示制御手段による前記第２の態様での制御は、前記第１の操作手段または前記第２の操作手段を操作されることに基づいて、前記表示領域に前記カメラの撮影する画像を、露光量を変更させて表示させる制御である、請求項３に記載の携帯情報機器。
【請求項５】
前記所定の画像において、前記所定の方向は縦方向であり、
前記第１の方向と前記第２の方向とは直交する、請求項１〜請求項４のいずれかに記載の携帯情報機器。
【請求項６】
複数の電子メールの文書を所定の順番で記憶する記憶手段と、
前記記憶手段に記憶された電子メールの文書を前記表示領域に表示させるための画像に変換する変換手段とをさらに備え、
前記表示制御手段は、
前記変換手段によって変換された電子メールの文書の画像を、前記所定の画像として前記表示領域に表示可能であり、
前記変換手段によって変換された或る電子メールの文書の画像を前記表示領域に表示させている場合、前記第３の操作手段を操作されることにより前記記憶手段において前記或る電子メールの文書の次に記憶されている電子メールの文書が前記変換手段によって変換された画像を前記表示領域に表示させ、前記第４の操作手段を操作されることにより前記記憶手段において前記或る電子メールの文書の前に記憶されている電子メールの文書が前記変換手段によって変換された画像を前記表示領域に表示させる、請求項１〜請求項５のいずれかに記載の携帯情報機器。
【請求項７】
外部から情報を入力され第１の方向に並んで配置される第１の操作手段および第２の操作手段と、外部から情報を入力され前記第１の方向と交わる第２の方向に並んで配置される第３の操作手段および第４の操作手段と、前記第１の方向および前記第２の方向に寸法を有する表示領域を含む表示手段とを備える携帯情報機器の制御方法であって、
前記表示領域に、所定の画像を、当該所定の画像の所定の方向を前記第１の方向に沿わせて表示させ、前記第１の操作手段または前記第２の操作手段を操作されることに応じて第１の態様で前記表示手段における表示態様を制御し、かつ、前記第３の操作手段または前記第４の操作手段を操作されることに応じて前記第１の態様とは異なる第２の態様で前記表示手段における表示態様を制御するステップと、
前記表示領域に、前記所定の画像を、前記所定の方向を前記第２の方向に沿わせて表示させ、前記第１の操作手段または前記第２の操作手段を操作されることに応じて前記第２の態様で前記表示手段における表示態様を制御し、かつ、前記第３の操作手段または前記第４の操作手段を操作されることに応じて前記第１の態様で前記表示手段における表示態様を制御するステップとを備える、携帯情報機器の制御方法。
【請求項８】
携帯情報機器に、請求項７に記載の携帯情報機器の制御方法の備えるステップを実行させる、携帯情報機器の制御プログラム。
【発明の詳細な説明】
【技術分野】
【０００１】
本発明は、携帯情報機器、その制御方法、および、その制御プログラムに関し、特に、画面に表示させた情報を自動的にスクロールさせる機能を有する携帯情報機器、その制御方法、および、その制御プログラムに関するものである。
【背景技術】
【０００２】
ＰＤＡ（Personal Digital Assistant）、携帯電話等の携帯情報機器が備える表示装置は、一般のデスクトップ型ＰＣ（Personal Computer）が備える表示装置よりも小さい。その結果、デスクトップ型ＰＣが比較的多くの情報を一度の表示できるのに対し、携帯情報機器は、限られた量の情報しか一度に表示することができないと言える。このため、従来から、携帯情報機器に対して、表示される情報の全体像を容易に認識することができるように構成されるよう要望があった。
【０００３】
このような要望に応じて、従来の携帯情報機器には、特許文献１〜特許文献３に開示されるような、自動スクロール機能を有するものがあった。自動スクロール機能とは、画面の表示を、所定の速度で自動的に一定方向に移動させる機能であり、ユーザに継続して表示を移動させるための操作を行なわせることなく表示の移動を継続させる機能である。なお、特に、特許文献２および特許文献３には、所定の操作がなされることにより、スクロールの速度を変更できる技術も開示されている。
【０００４】
なお、携帯情報機器の多くは、ユーザによって持たれる方向を変更できるように構成されている。そして、従来の携帯情報機器には、特定の操作がなされる等により、表示装置における表示方向を変更できるように構成されているものがあった。携帯情報機器の表示装置における表示方向の変更について、図２０を参照して説明する。
【０００５】
図２０を参照して、携帯情報機器の一例である携帯電話機９００では、その本体９０１に、表示装置９０２、および、複数のキーからなる操作部９０３が備えられている。そして、携帯電話機９００は、図２０（Ａ）に示されるように、表示装置９０２を操作部９０３よりも上方に位置させた状態で、表示装置９０２における表示の上下方向を図中の両矢印のように設定されることもでき、かつ、図２０（Ｂ）に示されるように、表示装置９０２を操作部９０３と横に並ぶように位置させた状態で、表示装置９０２における表示の上下方向を図中の両矢印のように設定されることもできる。
【０００６】
以上のように、従来では、携帯情報機器の表示装置における表示態様に関して、種々の技術が開示されてきた。
【特許文献１】特開平１１−２０３０１６号公報
【特許文献２】特開２０００−１８４４２０号公報
【特許文献３】特開２００３−１６２３５６号公報
【発明の開示】
【発明が解決しようとする課題】
【０００７】
しかしながら、従来の携帯情報機器では、表示装置における表示態様についての工夫がなされる一方で、ユーザは、表示装置における表示に対応して操作を行なう場合、操作に関してもさらなる工夫がなされることを希望する場合があった。
【０００８】
特に、携帯電話機に代表される携帯情報機器においては、上下左右の４方向に対応させて操作するためのカーソル等の操作手段を有し、かつ、表示部に対し縦方向に画像等を表示させて当該操作手段を操作する場合と、表示部に対し横方向に画像等を表示させて当該操作手段を操作する場合とが可能なものが知られている。
【０００９】
そして、上記のような従来の携帯電話機では、縦方向に表示させる場合と横方向に表示させる場合の各々の場合において、操作手段の中の上下左右の操作方向の割付が固定的なものであると、操作者が表示部の縦横方向を切替えるたびに操作方向を考慮して操作する必要が生じる。このことから、ユーザは、操作方向について混乱し、誤った操作をしてしまうという問題があった。
【００１０】
本発明は、かかる実情に鑑み考え出されたものであり、その目的は、携帯情報機器において、ユーザが表示に対応して操作を行なう際の利便性を向上させることである。
【課題を解決するための手段】
【００１１】
本発明に従った携帯情報機器は、第１の方向に並んで配置される、第１の操作手段および第２の操作手段と、前記第１の方向と交わる第２の方向に並んで配置される、第３の操作手段および第４の操作手段と、前記第１の方向および前記第２の方向に寸法を有する表示領域を含み、情報を表示する表示手段と、前記表示手段における表示態様を制御する表示制御手段とを備え、前記表示制御手段は、前記表示領域に、所定の画像を、当該所定の画像の所定の方向を前記第１の方向に沿わせて表示させる場合、前記第１の操作手段または前記第２の操作手段を操作されると第１の態様で前記表示手段における表示態様を制御し、かつ、前記第３の操作手段または前記第４の操作手段を操作されると前記第１の態様とは異なる第２の態様で前記表示手段における表示態様を制御し、前記表示領域に、前記所定の画像を、前記所定の方向を前記第２の方向に沿わせて表示させる場合、前記第１の操作手段または前記第２の操作手段を操作されると前記第２の態様で前記表示手段における表示態様を制御し、かつ、前記第３の操作手段または前記第４の操作手段を操作されると前記第１の態様で前記表示手段における表示態様を制御することを特徴とする。
【００１２】
また、本発明に従った携帯情報機器は、画像を撮影するカメラと、前記カメラの動作を制御するカメラ制御手段とをさらに備え、前記表示制御手段は、前記表示手段を、前記カメラの撮影する画像を表示させ、前記カメラ制御手段は、前記表示制御手段が、前記表示領域に、前記カメラの撮影する画像の中の或る方向を前記第１の方向に沿わせて表示させる場合、前記第１の操作手段または前記第２の操作手段を操作されると前記カメラについての第１の機能を実行し、かつ、前記第３の操作手段または前記第４の操作手段を操作されると前記カメラについての前記第１の機能とは異なる第２の機能を実行し、前記表示制御手段が、前記表示領域に、前記カメラの撮影する画像の中の前記或る方向を前記第２の方向に沿わせて表示させる場合、前記第１の操作手段または前記第２の操作手段を操作されると前記カメラについての前記第２の機能を実行し、かつ、前記第３の操作手段または前記第４の操作手段を操作されると前記カメラについての前記第２の機能をすることが好ましい。
【００１３】
また、本発明に従った携帯情報機器では、前記カメラについての前記第１の機能は、前記カメラのズーム倍率を変更する機能であり、前記カメラについての前記第２の機能は、前記カメラの露光量を切替える機能であることが好ましい。
【００１４】
また、本発明に従った携帯情報機器では、前記表示制御手段による前記第１の態様での制御は、前記第１の操作手段または前記第２の操作手段を操作されることに基づいて、前記表示領域に前記カメラの撮影する画像を、ズーム倍率を変更させて表示させる制御であり、前記表示制御手段による前記第２の態様での制御は、前記第１の操作手段または前記第２の操作手段を操作されることに基づいて、前記表示領域に前記カメラの撮影する画像を、露光量を変更させて表示させる制御であることが好ましい。
【００１５】
また、本発明に従った携帯情報機器では、前記所定の画像において、前記所定の方向は縦方向であり、前記第１の方向と前記第２の方向とは直交することが好ましい。
【００１６】
また、本発明に従った携帯情報機器では、複数の電子メールの文書を所定の順番で記憶する記憶手段と、前記記憶手段に記憶された電子メールの文書を前記表示領域に表示させるための画像に変換する変換手段とをさらに備え、前記表示制御手段は、前記変換手段によって変換された電子メールの文書の画像を、前記所定の画像として前記表示領域に表示可能であり、前記変換手段によって変換された或る電子メールの文書の画像を前記表示領域に表示させている場合、前記第３の操作手段を操作されることにより前記記憶手段において前記或る電子メールの文書の次に記憶されている電子メールの文書が前記変換手段によって変換された画像を前記表示領域に表示させ、前記第４の操作手段を操作されることにより前記記憶手段において前記或る電子メールの文書の前に記憶されている電子メールの文書が前記変換手段によって変換された画像を前記表示領域に表示させることが好ましい。
【００１７】
本発明に従った携帯情報機器の制御方法は、外部から情報を入力され第１の方向に並んで配置される第１の操作手段および第２の操作手段と、外部から情報を入力され前記第１の方向と交わる第２の方向に並んで配置される第３の操作手段および第４の操作手段と、前記第１の方向および前記第２の方向に寸法を有する表示領域を含む表示手段とを備える携帯情報機器の制御方法であって、前記表示領域に、所定の画像を、当該所定の画像の所定の方向を前記第１の方向に沿わせて表示させ、前記第１の操作手段または前記第２の操作手段を操作されることに応じて第１の態様で前記表示手段における表示態様を制御し、かつ、前記第３の操作手段または前記第４の操作手段を操作されることに応じて前記第１の態様とは異なる第２の態様で前記表示手段における表示態様を制御するステップと、前記表示領域に、前記所定の画像を、前記所定の方向を前記第２の方向に沿わせて表示させ、前記第１の操作手段または前記第２の操作手段を操作されることに応じて前記第２の態様で前記表示手段における表示態様を制御し、かつ、前記第３の操作手段または前記第４の操作手段を操作されることに応じて前記第１の態様で前記表示手段における表示態様を制御するステップとを備えることを特徴とする。
【００１８】
本発明に従った携帯情報機器の制御プログラムは、携帯情報機器に、上記した携帯情報機器の制御方法に備えられるステップを実行させることを特徴とする。
【発明の効果】
【００１９】
本発明によると、携帯情報機器において、ユーザは、第１の態様で表示制御手段に制御を行なわせたい場合には、所定の画像が、その所定の方向を、表示領域の第１の方向に沿わされて表示されても第２の方向に沿わされて表示されても、当該所定の方向が沿う方向に並んで配置される操作手段を操作すれば良いことになる。
【００２０】
これにより、ユーザは、携帯情報機器において所定の画像の表示される方向が変更されても、操作すべき操作手段を、表示領域の表示を見ることにより直感的に理解できるため、携帯情報機器は、ユーザが表示に対応して操作を行なう際の利便性を向上されたと言える。
【００２１】
また、本発明によると、携帯情報機器において、ユーザは、カメラを使用し、かつ、表示手段を当該カメラのファインダとして使用する場合であっても、表示領域における表示に関する操作または所望の機能の実行に関する操作について、表示領域の表示を見ることにより操作すべき操作手段を直感的に理解できる。
【００２２】
特に、本発明によると、ズーム倍率の変更や露光量の切替えという、カメラのファインダを注目しながらなされる操作についての操作手段を、カメラのファインダとして使用される表示手段の表示態様（所定の画像における所定の方向が、第１の方向に沿うか、第２の方向に沿うか）に関連したものとすることができるので、携帯情報機器の利便性が向上されると言える。
【００２３】
また、本発明によると、携帯情報機器において、電子メールの文書を画像として表示させることができ、さらに、表示させる電子メールの文書を、第３の操作手段または第４の操作手段を操作することにより、順に、入替えることができる。
【発明を実施するための最良の形態】
【００２４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００２５】
［第１の実施の形態］
図１は、本発明の携帯情報機器の第１の実施の形態である、電子メール（以下、単に「メール」という）の送受信機能を有する携帯電話機１００の斜視図である。
【００２６】
携帯電話機１００は、本体１０１を備えている。本体１０１には、ＬＣＤ（liquid crystal display）等からなるディスプレイ１５０、複数のキーを含む入力部１２０、スピーカ１７４、および、マイク１７２が備えられている。入力部１２０には、数字等の入力のためのテンキーを含む１２キー１２４、上キー１２１Ａ、下キー１２１、左キー１２１Ｃ、および、右キー１２１Ｄが備えられている。なお、携帯電話機１００の構成は、図１に示された態様に限定されず、折畳式の携帯電話機等であっても良い。
【００２７】
図２は、携帯電話機１００の機能ブロック図である。
【００２８】
図２をさらに参照して携帯電話機１００について説明すると、携帯電話機１００は、表示処理部１１１、レイアウト解析部１１２、スクロール処理部１１３、ワークメモリ１１５、ＶＲＡＭ（Video Random Access Memory）１１６、メールデータベース１１７、プログラム記憶部１１８、通話処理部１７５、メール処理部１７６、および、通信処理部１７０をさらに備えている。
【００２９】
表示処理部１１１は、ディスプレイ１５０の表示を制御する。具体的には、入力部１２０からの指示に基づいて、メールデータベース１１７から適宜表示しようとする文書を選択し、レイアウト解析部１１２に選択された文書をディスプレイ１５０に表示させるのに適する形態の画像にしてワークメモリ１１５に展開させ、展開された画像の中からディスプレイ１５０に表示させる部分を選択し当該選択された部分の画像をＶＲＡＭ１１６へと送り、そして、ＶＲＡＭ１１６に送られた画像をディスプレイ１５０に表示させる。
【００３０】
通話処理部１７５、通信処理部１７０、および、アンテナ１０８は、携帯電話機１００の音声通話のために動作する部位である。具体的には、携帯電話機１００において、通話相手との間で接続が確立され音声による通話がなされる際、通話処理部１７５は、マイク１７２を介して入力された音声を音声信号に変換し、当該音声信号を、通信処理部１７０およびアンテナ１０８を介して通話相手に送る。また、通話相手から送られてきた音声信号は、アンテナ１０８および通信処理部１７０を介して通話処理部１７５に送られ、当該通話処理部１７５において音声に変換され、スピーカ１７４から出力される。
【００３１】
メール処理部１７６は、携帯電話機１００においてメールの文書の作成や送受信を行なう。具体的には、メール処理部１７６は、入力部１２０から入力される内容に応じて、電子メールを作成し、作成されたメールの文書を通信処理部１７０を介してメールの宛先へと送信したりメールデータベース１１７に蓄積させたりし、また、通信処理部１７０で受信されたメールの文書をメールデータベース１１７に蓄積させる。
【００３２】
図３に、メールデータベース１１７の記憶内容を模式的に示す。図３を参照して、メールデータベース１１７には、主に、通信処理部１７０で受信されたメールの文書が記憶される受信メール記憶部１８１、メール処理部１７６によって作成され未だメールの宛先へと送信されていないメールの文書が記憶される送信待ちメール記憶部１８２、および、メール処理部１７６によって作成されかつ通信処理部１７０を介した送信の処理も完了したメールの文書が記憶される送信済みメール記憶部１８３が備えられる。
【００３３】
図４に、受信メール記憶部１８１の記憶内容を模式的に示す。図４を参照して、受信メール記憶部１８１には、領域１８１Ａ、領域１８１Ｂ、領域１８１Ｃ、…、というようにメールの文書を１つのメールごとに記憶する複数の領域が定義されている。領域１８１Ａ等の各領域には、「メール１」「メール２」「メール３」等の、たとえば受信した順に番号を付されたメールの文書が順番に蓄積されている。各メールの文書には、差出人、タイトル、本文、および、送信日時という情報が含まれている。
【００３４】
図５は、表示処理部１１１が実行する、メールデータベース１１７の受信メール記憶部１８１に記憶されたメールの文書を表示させる処理（メール表示処理）のフローチャートである。
【００３５】
図５を参照して、表示処理部１１１は、入力部１２０に対して、メールの文書を表示させるための操作がなされると、ステップＳ１（以下、「ステップ」を省略する）で、ユーザからの、受信メール記憶部１８１に記憶された複数のメールの中のどのメールを表示させたいかを指定する情報の入力を受付ける。なお、ユーザは、このような情報を、たとえば、入力部１２０を介して入力する。
【００３６】
次に、表示処理部１１１は、Ｓ２で、指定されたメールの文書を、受信メール記憶部１８１から呼び出してディスプレイ１５０に表示させる。
【００３７】
ディスプレイ１５０にメールの文書が表示される状態の一例を図６に示す。
【００３８】
図６では、携帯電話機１００がディスプレイ１５０が入力部１２０よりも上方に位置する状態にされているときに、ディスプレイ１５０が、垂直方向（両矢印Ａ６で示した方向）に表示の上下方向が設定されたメールの文書を表示する状態が記載されている。
【００３９】
ディスプレイ１５０は、長方形の形状を有しており、長辺と短辺とを有し、図６に示された状態では、その長辺が、ほぼ垂直方向を示す両矢印Ａ６方向に沿い、その短辺が、ほぼ水平方向を示す両矢印Ａ７方向に沿うように記載されている。そして、図６に示された状態では、ディスプレイ１５０内のメールの文書は、両矢印Ａ６方向にその上下方向が沿い、両矢印Ａ７方向にその左右方向が沿うように、表示されている。
【００４０】
携帯電話機１００は、後述するＳ４の処理等により、ディスプレイ１５０における表示を、図７に示すようなものにすることもできる。図７は、ディスプレイ１５０にメールの文書が表示される状態の他の例を示す。
【００４１】
図７に示された状態では、ディスプレイ１５０は、その長辺が、ほぼ水平方向を示す両矢印Ａ６方向に沿い、その短辺が、ほぼ垂直方向を示す両矢印Ａ７方向に沿うように記載されている。そして、図７に示された状態では、ディスプレイ１５０内のメールの文書は、両矢印Ａ７方向にその上下方向が沿い、両矢印Ａ６方向にその左右方向が沿うように、表示されている。
【００４２】
また、ディスプレイ１５０では、ワークメモリ１１５に展開された画像の中の、一部分の画像が表示される。そして、ワークメモリ１１５に展開された画像の中の、ディスプレイ１５０に表示させる部分が移動することにより、ワークメモリ１１５に展開された画像のすべてがディスプレイ１５０に表示されることになる。
【００４３】
図８は、図６に示された状態で、ワークメモリ１１５に展開された画像の中からディスプレイ１５０に表示される部分が選択される状態を説明するための図であり、図９は、図７に示された状態で、ワークメモリ１１５に展開された画像の中からディスプレイ１５０に表示される部分が選択される状態を説明するための図である。
【００４４】
まず、図８（Ａ）を参照して、図６に示された場合、表示処理部１１１は、レイアウト解析部１１２によってワークメモリ１１５に展開された画像２００の中から、部分２０１Ａを、ディスプレイ１５０に表示させる。部分２０１Ａは、ディスプレイ１５０の形状に対応した長方形状を有しており、その長辺が両矢印Ａ６方向に沿い、その短辺が両矢印Ａ７方向に沿う。画像２００は、両矢印Ｂ１方向を上下方向とし、両矢印Ｂ２方向を左右方向としている。これにより、部分２０１Ａは、その長辺が画像２００の上下方向に沿い、その短辺が画像２００の左右方向に沿う。画像２００の左右方向の寸法Ｒ１は、部分２０１Ａの短辺方向の寸法と一致している。画像２００の上下方向の寸法は、部分２０１Ａの長辺方向の寸法よりも長い。そして、部分２０１Ａは、上キー１２１Ａまたは下キー１２１Ｂを操作されることにより、両矢印Ｂ１方向に移動される。
【００４５】
図８（Ａ）中の部分２０１Ａが矢印Ｃ１方向に移動された状態を、図８（Ｂ）に示す。図８（Ｂ）では、図８（Ａ）の部分２０１Ａに対応する部分が、画像２００中の位置を変更されて、部分２０１Ｂとして記載されている。図８（Ｂ）中の部分２０１Ｂがさらに矢印Ｃ２方向に移動された状態を、図８（Ｃ）に示す。図８（Ｃ）では、図８（Ｂ）の部分２０１Ｂに対応する部分が、画像２００中の位置を変更されて、部分２０１Ｃとして記載されている。図８に示したように、部分２０１Ａ〜部分２０１Ｃというように、画像２００からディスプレイ１５０に表示されるために選択される部分が画像２００中を移動するため、画像２００全体がディスプレイ１５０に表示されることが可能となる。このように、画像２００からディスプレイ１５０に表示されるために選択されるための部分が画像２００中を移動することを、「スクロール」と呼ぶ。また、当該部分が、部分２０１Ａから部分２０１Ｂに、または、部分２０１Ｂから部分２０１Ｃに、つまり、画像２００の下方向に移動することを「下スクロール」と呼び、逆に、部分２０１Ｂから部分２０１Ａに、または、部分２０１Ｃから部分２０１Ｂに、つまり、画像２００の上方向に移動することを「上スクロール」と呼ぶ。
【００４６】
次に、図９（Ａ）を参照して、図７に示された場合、表示処理部１１１は、レイアウト解析部１１２によってワークメモリ１１５に展開された画像２０２の中から、部分２０３Ａを、ディスプレイ１５０に表示させる。部分２０３Ａは、ディスプレイ１５０の形状に対応した長方形状を有しており、その長辺が両矢印Ａ６方向に沿い、その短辺が両矢印Ａ７方向に沿う。画像２０２は、両矢印Ｂ３方向を上下方向とし、両矢印Ｂ４方向を左右方向としている。これにより、部分２０３Ａは、その短辺が画像２０２の上下方向に沿い、その長辺が画像２０２の左右方向に沿う。画像２０２の左右方向の寸法Ｒ２は、部分２０３Ａの長辺方向の寸法と一致している。画像２０２の上下方向の寸法は、部分２０３Ａの短辺方向の寸法よりも長い。そして、部分２０３Ａは、上キー１２１Ａまたは下キー１２１Ｂを操作されることにより、両矢印Ｂ３方向に移動される。
【００４７】
図９（Ａ）中の部分２０３Ａが矢印Ｃ３方向に移動された状態を、図９（Ｂ）に示す。図９（Ｂ）では、図９（Ａ）の部分２０３Ａに対応する部分が、画像２０２中の位置を変更されて、部分２０３Ｂとして記載されている。図９（Ｂ）中の部分２０３Ｂがさらに矢印Ｃ４方向に移動された状態を、図９（Ｃ）に示す。図９（Ｃ）では、図９（Ｂ）の部分２０３Ｂに対応する部分が、画像２０２中の位置を変更されて、部分２０３Ｃとして記載されている。図９に示したように、部分２０１Ａ〜部分２０１Ｃというように、画像２００からディスプレイ１５０に表示されるために選択される部分が画像２００中を移動するため、画像２００全体がディスプレイ１５０に表示されることが可能となる。
【００４８】
以上、図６〜図９を用いて説明したように、携帯電話機１００では、入力部１２０に対する操作に応じて、ディスプレイ１５０に、図６に示したようにも、図７に示したようにも、電子メールの文書を表示させることができる。なお、図６に示したような表示状態を、画像の縦方向がディスプレイ１５０の長辺方向に沿うため「縦長表示」と呼び、図７に示したような表示状態を、画像の横方向がディスプレイ１５０の長辺方向に沿うため「横長表示」と呼ぶ。また、特に、図８および図９を用いて説明したように、縦長表示の場合と横長表示の場合では、レイアウト解析部１１２がワークメモリ１１５に展開する画像のサイズが異なる。
【００４９】
再度、図５を参照して、Ｓ２で、指定されたメールの文書をディスプレイ１５０に表示させた後、Ｓ３で、ユーザから、入力部１２０に対して、ディスプレイ１５０における表示を反転させるための操作があったか否かを判断する。ディスプレイ１５０における表示の反転とは、ディスプレイ１５０において、上記した縦長表示と横長表示との間で、表示状態を入替えることを言う。そして、そのような操作があったと判断すると、Ｓ４で表示の縦横を反転させるための処理を行なった後Ｓ５に処理を進め、そのような操作がなかったと判断すると、そのままＳ５に処理を進める。なお、Ｓ４における、表示の縦横を反転させるための処理とは、図８に示した状態と図９に示した状態との間で、ディスプレイ１５０に表示させるための部分の選択態様を入替えることである。
【００５０】
Ｓ５では、表示処理部１１１は、ユーザから、入力部１２０に対して、ディスプレイ１５０における表示を下スクロールするためのキー（下スクロール用キー）が操作されたか否かを判断し、操作されたと判断すると、Ｓ６でディスプレイ１５０における表示を所定の量だけ下スクロールさせた後Ｓ７に処理を進め、操作されていないと判断すると、そのままＳ７に処理を進める。
【００５１】
Ｓ７では、表示処理部１１１は、ユーザから、入力部１２０に対して、ディスプレイ１５０における表示を上スクロールするためのキー（上スクロール用キー）が操作されたか否かを判断し、操作されたと判断すると、Ｓ８でディスプレイ１５０における表示を所定の量だけ上スクロールさせた後Ｓ９に処理を進め、操作されていないと判断すると、そのままＳ９に処理を進める。
【００５２】
Ｓ９では、表示処理部１１１は、ユーザから、入力部１２０に対して、ディスプレイ１５０に表示させるメールを、次のメールに変更するためのキー（次のメール表示用キー）が操作されたか否かを判断し、操作されたと判断すると、Ｓ１０でディスプレイ１５０に表示させるメールを次のメールに変更してＳ１１に処理を進め、操作されていないと判断すると、そのままＳ１１に処理を進める。
【００５３】
なお、「次のメール」とは、受信メール記憶部１８１において、現在表示対象とされているメールの文書に付された順番の次の順番を付されて記憶されているメールの文書のことである。そして、ディスプレイ１５０に表示させるメールを次のメールに変更するということは、レイアウト解析部１１２が、ワークメモリ１１５に画像を展開するメールの文書を、現在のメールの文書から、受信メール記憶部１８１で当該現在のメールの文書の次の順番で記憶されているメールの文書に変更することをいう。
【００５４】
Ｓ１１では、表示処理部１１１は、ユーザから、入力部１２０に対して、ディスプレイ１５０に表示させるメールを、前のメールに変更するためのキー（前のメール表示用キー）が操作されたか否かを判断し、操作されたと判断すると、Ｓ１２でディスプレイ１５０に表示させるメールを前のメールに変更してＳ１３に処理を進め、操作されていないと判断すると、そのままＳ１３に処理を進める。なお、前のメールとは、受信メール記憶部１８１において、現在表示対象とされているメールの文書に付された順番の１つ前の順番を付されて記憶されているメールの文書のことである。
【００５５】
Ｓ１３では、表示処理部１１１は、ユーザから、入力部１２０に対して、メールの表示の終了を希望する操作がなされたか否かを判断する。そして、そのような操作がなされていないと判断するとＳ３に処理を戻し、そのような操作がなされたと判断するとメール表示処理を終了させる。
【００５６】
上記したメール表示処理では、Ｓ５，Ｓ７，Ｓ９，Ｓ１１の各ステップにおいて、それぞれ、キーの操作があったか否かが判断される。なお、携帯電話機１００では、これらの各ステップにおいて判断対象となるキーは、ディスプレイ１５０における表示状態が縦長表示とされるか横長表示とされるかによって、図１０に示されるように変更される。図１０は、ディスプレイ１５０における表示状態と、Ｓ５の判断時に「下スクロール用キー」の役割をするキー、Ｓ７の判断時に「上スクロール用キー」の役割をするキー、Ｓ９の判断時に「次のメール表示用キー」の役割をするキー、および、Ｓ１１の判断時に「前のメール表示用キー」の役割をするキーとの関係を表形式で示す図である。
【００５７】
図１０を参照して、ディスプレイ１５０における表示状態が、図６に示されるように縦長表示とされた場合、上キー１２１Ａが「上スクロール用キー」とされ、下キー１２１Ｂが「下スクロール用キー」とされ、右キー１２１Ｄが「次のメール表示用キー」とされ、左キー１２１Ｃが「前のメール表示用キー」とされる。
【００５８】
一方、ディスプレイ１５０における表示態様が、図７に示されるように横長表示とされた場合、右キー１２１Ｄが「上スクロール用キー」とされ、左キー１２１Ｃが「下スクロール用キー」とされ、下キー１２１Ｂが「次のメール表示用キー」とされ、上キー１２１Ａが「前のメール表示用キー」とされる。
【００５９】
つまり、本実施の形態では、図１および図６に示された状態で、上下方向に並ぶ上キー１２１Ａと下キー１２１Ｂとが、縦長表示の際には表示のスクロールという機能に関する役割を持つ。なお、これらのキーは、横長表示の際には表示されるメールを切替えるという機能に関する役割を持つ。
【００６０】
また、図１および図６に示された状態で、左右方向に並ぶ左キー１２１Ｃと右キー１２１Ｄとが、縦長表示の際には表示されるメールを切替えるという機能に関する役割を持つ。なお、これらのキーは、横長表示の際には表示のスクロールという機能に関する役割を持つ。
【００６１】
つまり、本実施の形態では、上キー１２１Ａ、下キー１２１Ｂ、左キー１２１Ｃ、および、右キー１２１Ｄの中で、縦長表示にされても、横長表示にされても、表示される画像の縦方向と同じ方向に並ぶ２つのキーが、スクロールという機能に関する役割を持ち、表示される画像の横方向と同じ方向に並ぶ２つのキーが、表示されるメールを切替えるという役割を持つ。
【００６２】
また、図１０に示されるように、上スクロール用キーは、縦長表示の際には、ディスプレイ１５０に表示される画像の縦方向（図６の両矢印Ａ６方向）の上側に位置する上キー１２１Ａとされ、横長表示の際にも、ディスプレイ１５０に表示される画像の縦方向（図７の両矢印Ａ７方向）の上側に位置する右キー１２１Ｄとされる。
【００６３】
また、下スクロール用キーについても、縦長表示の際には、ディスプレイ１５０に表示される画像の縦方向（図６の両矢印Ａ６方向）の下側に位置する下キー１２１Ａとされ、横長表示の際にも、ディスプレイ１５０に表示される画像の縦方向（図７の両矢印Ａ７方向）の下側に位置する左キー１２１Ｃとされる。
【００６４】
また、以上説明した本実施の形態では、携帯電話機１００は、その内部（プログラム記憶部１１８）に予め記憶されたプログラムに従って動作するが、本発明に従った携帯情報機器はこれに限定されず、携帯電話機１００とは離間した場所に記憶されたプログラムを読み込めるよう構成され、当該読み込まれたプログラムに従って動作するように構成されても良い。
【００６５】
［第２の実施の形態］
図１１は、本発明の携帯情報機器の第２の実施の形態である、カメラを備え、当該カメラで撮影される画像を表示可能な携帯電話機５００の斜視図である。
【００６６】
携帯電話機５００は、主に、第１の筐体５０１、第２の筐体５０２、ならびに、第１の筐体５０１と第２の筐体５０２とを接続させるヒンジ５０３および回転軸５０４からなる。回転軸５０４は、第２の筐体５０２に両矢印Ｙ方向に回転可能に取り付けられており、ヒンジ５０３は、第１の筐体５０１およびヒンジ５０３の内部に設けられている。
【００６７】
第１の筐体５０１には、ＬＣＤ等からなるメインディスプレイ５１０、および、スピーカ５６１が備えられている。
【００６８】
回転軸５０４には、上キー５５１、下キー５５２、左キー５５３、および、右キー５５４が設置されている。
【００６９】
第２の筐体５０２には、数字等の入力のためにユーザに操作されるキー群５５０、および、マイク５６２が備えられている。
【００７０】
図１２は、携帯電話機５００の裏面図である。
【００７１】
図１２をさらに参照して、第１の筐体５０１の裏面には、ＬＣＤ等からなるサブディスプレイ５２０が備えられている。また、第２の筐体５０２の裏面には、カメラ５３０が備えられている。
【００７２】
第１の筐体５０１は、ヒンジ５０３を軸として、第２の筐体５０２に対して、両矢印Ｘ方向に回転可能に構成されている。図１３に、携帯電話機５００において、第１の筐体５０１がヒンジ５０３を軸として第２の筐体５０２に対して回転され、メインディスプレイ５１０の備えられた面を当該第２の筐体５０２のキー群５５０を備えられた面に対向させている状態を示す。本明細書では、図１３に示された状態を、携帯電話機５００の「第１の折り畳まれた状態」と呼ぶ。
【００７３】
図１４は、携帯電話機５００において、第１の筐体５０１が、図１１に示された状態から、回転軸５０４と共に、第２の筐体５０２に対して両矢印Ｙ方向に回転された状態を示す。また、図１５は、第１の筐体５０１が、図１４に示された状態から、回転軸５０４と共に、第２の筐体５０２に対してさらに両矢印Ｙ方向（図１１参照）に回転された状態を示す。
【００７４】
図１５に示された状態では、携帯電話機５００において、第１の筐体５０１が、サブディスプレイ５２０の備えられた面を第２の筐体５０２のキー群５５０を備えられた面に対向させている。本明細書では、図１５に示された状態を、携帯電話機５００の「第２の折り畳まれた状態」と呼ぶ。
【００７５】
図１６は、携帯電話機５００の機能ブロック図である。
【００７６】
図１６をさらに参照して携帯電話機５００について説明すると、携帯電話機５００は、メインディスプレイ５１０およびサブディスプレイ５２０における表示態様を制御する表示処理部５７０、カメラ５３０で撮影された画像等の画像データを記憶するメモリ５７２、メモリ５７２に記憶された画像やカメラ５３０で撮影された画像に対して加工を施す画像処理部５７１、カメラ５３０で撮影された画像に対して種々の処理を行なうカメラ処理部５７３、メインディスプレイ５１０における画像表示のワークエリアとなるワークメモリ５７４、メインディスプレイ５１０で表示される画像のデータを保持するＶＲＡＭ５７５、メインディスプレイ５１０に、カメラ５３０で撮影された画像またはメモリ５７２に記憶された画像に合成させて表示させる画像のデータを記憶する合成用画像記憶部５７６、第２の筐体５０２に対する第１の筐体５０１の回転の度合いを検出する回転検出部５７７、携帯電話機５００が折り畳まれた状態にあるか否かを判断する開閉センサ５７８、回転軸５０４の回転度合いを検出する回転軸センサ５７９、携帯電話機５００において音声に関する処理を行なう通話処理部５６３、携帯電話機５００において通信に関する処理を行なう通信処理部５６４およびアンテナ５６５、ならびに、カメラ５３０で撮影された画像に関するデータを一時的に保存するバッファメモリ５３１をさらに備えている。
【００７７】
表示処理部１１１は、ディスプレイ１５０の表示を制御する。具体的には、入力部１２０からの指示に基づいて、メールデータベース１１７から適宜表示しようとする文書を選択し、レイアウト解析部１１２に選択された文書をディスプレイ１５０に表示させるのに適する形態の画像にしてワークメモリ１１５に展開させ、展開された画像の中からディスプレイ１５０に表示させる部分を選択し当該選択された部分の画像をＶＲＡＭ１１６へと送り、そして、ＶＲＡＭ１１６に送られた画像をディスプレイ１５０に表示させる。
【００７８】
通話処理部１７５、通信処理部１７０、および、アンテナ１０８は、携帯電話機５００の音声通話のために動作する部位である。具体的には、携帯電話機５００において、通話相手との間で接続が確立され音声による通話がなされる際、通話処理部１７５は、マイク１７２を介して入力された音声を音声信号に変換し、当該音声信号を、通信処理部１７０およびアンテナ１０７を介して通話相手に送る。また、通話相手から送られてきた音声信号は、アンテナ１０８および通信処理部１７０を介して通話処理部１７５に送られ、当該通話処理部１７５において音声に変換され、スピーカ１７４から出力される。
【００７９】
メール処理部１７６は、携帯電話機５００においてメールの文書の作成や送受信を行なう。具体的には、メール処理部１７６は、入力部１２０から入力される内容に応じて、電子メールを作成し、作成されたメールの文書を通信処理部１７０を介してメールの宛先へと送信したりメールデータベース１１７に蓄積させたりし、また、通信処理部１７０で受信されたメールの文書をメールデータベース１１７に蓄積させる。
【００８０】
携帯電話機５００では、カメラ５３０で撮影されている画像をメインディスプレイ５１０に表示させることにより、メインディスプレイ５１０をファインダとして使用することができる。また、メインディスプレイ５１０は長辺と短辺を有し、そして、第１の実施の形態のディスプレイ１５０における表示と同様に、メインディスプレイ５１０における表示も、縦長表示と横長表示との間で切替えが可能に構成されている。メインディスプレイ５１０が、縦長表示を行なっている状態を図１７に、横長表示を行なっている場合を図１８にそれぞれ示す。図１７および図１８には、第１の筐体５０１および回転軸５０４が示されている。
【００８１】
図１７では、メインディスプレイ５１０に、カメラ５３０によって撮影された画像であって被写体５１１を含む画像が、合成用画像記憶部５７６に記憶されたデータに基づいた画像であってカメラ５３０における露光量を示すバー５１２およびボタン５１２と合成されて、表示されている状態が示されている。なお、図１７中、メインディスプレイ５１０の、長辺方向が両矢印Ｎ１で示され、短辺方向が両矢印Ｎ２で示されている。また、メインディスプレイ５１０中の、被写体５１１を含む画像とバー５１２とボタン５１３（以下、まとめて「メインディスプレイ５１０に表示される画像」という）の、上下方向が両矢印Ｍ１で示され、左右方向が両矢印Ｍ２で示されている。
【００８２】
つまり、図１７に示されたような、縦長表示が行なわれている場合には、メインディスプレイ５１０に表示される画像の上下方向は、メインディスプレイ５１０の長辺方向に沿い、また、メインディスプレイ５１０に表示される画像の左右方向は、メインディスプレイ５１０の短辺方向に沿う。
【００８３】
図１８でも、図１７と同様に、メインディスプレイ５１０の長辺方向が両矢印Ｎ１で示されかつ短辺方向が両矢印Ｎ２で示され、インディスプレイ５１０に表示される画像の上下方向が両矢印Ｍ１で示されかつ左右方向が両矢印Ｍ２で示されている。
【００８４】
そして、図１８に示されたような、横長表示が行なわれている場合には、メインディスプレイ５１０に表示される画像の上下方向は、メインディスプレイ５１０の短辺方向に沿い、また、メインディスプレイ５１０に表示される画像の左右方向は、メインディスプレイ５１０の長辺方向に沿う。
【００８５】
なお、図１７および図１８では、バー５１２は、メインディスプレイ５１０に表示される画像の左右方向（両矢印Ｍ２方向）に沿い、そして、バー５１２上のボタン５１３の左右方向での位置で、露光量が示される。具体的には、ボタン５１３が右方に位置するほど、露光量が多いことが示される。
【００８６】
携帯電話機５００では、メインディスプレイ５１０がカメラ５３０のファインダとして使用されているときには、上キー５５１、下キー５５２、左キー５５３、および、右キー５５４には、カメラ５３０の動作に関連した情報を入力する役割が与えられている。なお、各キーに与えられる役割は、メインディスプレイ５１０において縦長表示が行なわれるか横長表示が行なわれるかによって、変更される。図１９に、メインディスプレイ５１０がカメラ５３０のファインダとして使用されているときに、上キー５５１、下キー５５２、左キー５５３、および、右キー５５４に与えられる、カメラ５３０の動作に関連した役割を、表形式で示す。
【００８７】
図１９を参照して、携帯電話機５００では、縦長表示であれば右キー５５４および左キー５５３が、また、横長表示であれば上キー５５１および下キー５５２が、つまり、メインディスプレイ５１０に表示される画像の左右方向（両矢印Ｍ２方向）およびバー５１２が沿う方向に並ぶ２つのキーが、カメラ５３０の露光を切替える機能に関する役割を与えられている。
【００８８】
具体的には、縦長表示の場合には、右キー５５４が操作されると、カメラ５３０は露光量を増加させ、これにより、表示処理部５７０もカメラ５３０が撮影した画像を露光量が上げられた状態でメインディスプレイ５１０に表示させ、また、左キー５５３が操作されると、カメラ５３０は露光量を低下させ、これにより、表示処理部５７０はカメラ５３０が撮影した画像を露光量が下げられた状態でメインディスプレイ５１０に表示させる。
【００８９】
また、横長表示の場合には、下キー５５２が操作されると、カメラ５３０は露光量を増加させ、これにより、表示処理部５７０もカメラ５３０が撮影した画像を露光量が上げられた状態でメインディスプレイ５１０に表示させ、また、上キー５５１が操作されると、カメラ５３０は露光量を低下させ、これにより、表示処理部５７０はカメラ５３０が撮影した画像を露光量が下げられた状態でメインディスプレイ５１０に表示させる。
【００９０】
また、図１９を参照して、携帯電話機５００では、縦長表示であれば上キー５５１および下キー５５２が、また、横長表示であれば右キー５５４および左キー５５３が、つまり、メインディスプレイ５１０に表示される画像の上下方向（両矢印Ｍ１方向）に並ぶ２つのキーが、カメラ５３０のズーム倍率を切替える機能に関する役割を与えられている。
【００９１】
具体的には、縦長表示の場合には、上キー５５１が操作されると、カメラ５３０はズーム倍率を増加させ、これにより、表示処理部５７０はカメラ５３０が撮影した画像をズーム倍率が上げられた状態でメインディスプレイ５１０に表示させ、また、下キー５５２が操作されると、カメラ５３０はズーム倍率を低下させ、これにより、表示処理部５７０はカメラ５３０が撮影した画像をズーム倍率が下げられた状態でメインディスプレイ５１０に表示させる。
【００９２】
また、横長表示の場合には、右キー５５４が操作されると、カメラ５３０はズーム倍率を増加させ、これにより、表示処理部５７０もカメラ５３０が撮影した画像をズーム倍率が上げられた状態でメインディスプレイ５１０に表示させ、また、左キー５５３が操作されると、カメラ５３０はズーム倍率を低下させ、これにより、表示処理部５７０はカメラ５３０が撮影した画像をズーム倍率が下げられた状態でメインディスプレイ５１０に表示させる。
【００９３】
今回開示された各実施の形態はすべての点で例示であって制限的なものではないと考えられるべきである。各実施の形態に開示された技術は、単独でも、可能な限り組み合わされても、実施可能なものと解釈されるべきである。また、本発明の範囲は上記した説明ではなくて特許請求の範囲によって示され、特許請求の範囲と均等の意味および範囲内でのすべての変更が含まれることが意図される。
【図面の簡単な説明】
【００９４】
【図１】本発明の携帯情報機器の第１の実施の形態である携帯電話機の斜視図である。
【図２】図１の携帯電話機の機能ブロック図である。
【図３】図２のメールデータベースの記憶内容を模式的に示す図である。
【図４】図３の受信メール記憶部の記憶内容を模式的に示す図である。
【図５】図１の携帯電話機の表示処理部が実行するメール表示処理のフローチャートである。
【図６】図１の携帯電話機における、ディスプレイにメールの文書が表示される状態の一例を示す図である。
【図７】図１の携帯電話機における、ディスプレイにメールの文書が表示される状態の他の例を示す図である。
【図８】図１の携帯電話機において、図６に示された状態で、ワークメモリに展開された画像の中からディスプレイに表示される部分が選択される状態を説明するための図である。
【図９】図１の携帯電話機において、図６に示された状態で、ワークメモリに展開された画像の中からディスプレイに表示される部分が選択される状態を説明するための図である。
【図１０】図１の携帯電話機のディスプレイにおける表示状態と、図５に示した処理において各種の役割をするキーとの関係を表形式で示す図である。
【図１１】本発明の携帯情報機器の第２の実施の形態である携帯電話機の斜視図である。
【図１２】図１１の携帯電話機の裏面図である。
【図１３】図１１の携帯電話機おいて、第１の筐体が、メインディスプレイの備えられた面を第２の筐体に対向させている状態を示す図である。
【図１４】図１１の携帯電話機において、第１の筐体が、図１１に示された状態から、回転軸と共に、第２の筐体に対して回転された状態を示す図である。
【図１５】図１１の携帯電話機において、第１の筐体が、図１４に示された状態から、回転軸と共に、第２の筐体に対してさらに回転された状態を示す図である。
【図１６】図１１の携帯電話機の機能ブロック図である。
【図１７】図１１の携帯電話機において、カメラで撮影されている画像がメインディスプレイで表示される状態の一例を示す図である。
【図１８】図１１の携帯電話機において、カメラで撮影されている画像がメインディスプレイで表示される状態の他の例を示す図である。
【図１９】図１１の携帯電話機のメインディスプレイがカメラのファインダとして使用されているときに、上キー、下キー、左キー、および、右キーに与えられる、カメラの動作に関連した役割を表形式で示す図である。
【図２０】従来の携帯情報機器の表示装置における表示方向の変更を説明するための図である。
【符号の説明】
【００９５】
１００，５００  携帯電話機、１０８，５６５  アンテナ、１１１，５７０  表示処理部、１１２  レイアウト解析部、１１３  スクロール処理部、１１５  ワークメモリ、１１６  ＶＲＡＭ、１１７  メールデータベース、１１８  プログラム記憶部、１２０  入力部、１２１Ａ，５５１  上キー、１２１Ｂ，５５２  下キー、１２１Ｃ，５５３  左キー、１２１Ｄ，５５４  右キー、１２４  １２キー、１５０  ディスプレイ、１７０  通信処理部、１７２  マイク、１７４  スピーカ、１７５  通話処理部、１７６  メール処理部、１８１  受信メール記憶部、１８２  送信待ちメール保存部、１８３  送信済みメール保存部、５０１  第１の筐体、５０２  第２の筐体、５０３  ヒンジ、５０４  回転軸。
【図１】
2005267446.tif 000003
【図２】
2005267446.tif 000004
【図３】
2005267446.tif 000005
【図４】
2005267446.tif 000006
【図５】
2005267446.tif 000007
【図６】
2005267446.tif 000008
【図７】
2005267446.tif 000009
【図８】
2005267446.tif 000010
【図９】
2005267446.tif 000011
【図１０】
2005267446.tif 000012
【図１１】
2005267446.tif 000013
【図１２】
2005267446.tif 000014
【図１３】
2005267446.tif 000015
【図１４】
2005267446.tif 000016
【図１５】
2005267446.tif 000017
【図１６】
2005267446.tif 000018
【図１７】
2005267446.tif 000019
【図１８】
2005267446.tif 000020
【図１９】
2005267446.tif 000021
【図２０】
2005267446.tif 000022